【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
第１のセキュリティ情報を含む第１の二次元コードが印刷された第１の原稿と、第２のセキュリティ情報を含む第２の二次元コードが印刷された第２の原稿とを読取る読取手段と、
前記読取手段での読取により得られた画像における前記第１の二次元コードと前記第２の二次元コードとをデコードすることで、前記第１のセキュリティ情報と前記第２のセキュリティ情報とを得るデコード手段と、
前記デコード手段で得られた前記第１のセキュリティ情報と前記第２のセキュリティ情報のうち高いセキュリティレベルを持つセキュリティ情報を選択する選択手段と、
前記選択手段で選択されたセキュリティ情報に基づいて二次元コードを生成する生成手段と、
前記生成手段で生成された二次元コードを、前記画像における前記第１の原稿に対応する領域と前記画像における前記第２の原稿に対応する領域の夫々に合成する合成手段と、
前記合成手段での合成結果を出力する出力手段とを有することを特徴とする装置。
【請求項２】
第１のセキュリティ情報及び第１の追跡情報を含む第１の二次元コードが印刷された第１の原稿と、第２のセキュリティ情報及び第２の追跡情報を含む第２の二次元コードが印刷された第２の原稿とを読取る読取手段と、
前記読取手段での読取により得られた画像における前記第１の二次元コードと前記第２の二次元コードとをデコードすることで、前記第１のセキュリティ情報及び第１の追跡情報と前記第２のセキュリティ情報及び第２の追跡情報とを得るデコード手段と、
前記デコード手段で得られた前記第１のセキュリティ情報と前記第２のセキュリティ情報のうち高いセキュリティレベルを持つセキュリティ情報を選択し、さらに、当該選択されたセキュリティ情報と同じ二次元コードに含まれていた追跡情報を選択する選択手段と、
前記選択手段で選択されたセキュリティ情報及び追跡情報に基づいて二次元コードを生成する生成手段と、
前記生成手段で生成された二次元コードを、前記画像における前記第１の原稿に対応する領域と前記画像における前記第２の原稿に対応する領域の夫々に合成する合成手段と、
前記合成手段での合成結果を出力する出力手段とを有することを特徴とする装置。
【請求項３】
前記選択手段は、
前記デコード手段で得られた前記第１のセキュリティ情報と前記第２のセキュリティ情報のセキュリティレベルが同じである場合、当該同じであるセキュリティレベルを選択し、さらに、前記デコード手段で得られた前記第１の追跡情報と前記第２の追跡情報のうちの最も古い情報を選択することを特徴とする請求項２に記載の装置。
【請求項４】
前記合成手段での二次元コードの前記画像への合成の前に、前記画像から前記第１の二次元コードと前記第２の二次元コードを削除する削除手段をさらに有することを特徴とする請求項１乃至３の何れか１項に記載の装置。
【請求項５】
前記合成手段は、
前記生成手段で生成された二次元コードを前記画像における前記第１の原稿に対応する領域に合成する際には、前記画像における四隅の領域の何れかに該当する領域に合成し、
前記生成手段で生成された二次元コードを前記画像における前記第２の原稿に対応する領域に合成する際には、前記画像における四隅の領域の何れにも該当しない領域に合成することを特徴とする請求項１乃至４の何れか１項に記載の装置。
【請求項６】
前記合成手段は、
前記生成手段で生成された二次元コードを前記画像における前記第１の原稿に対応する領域に合成する際には、前記画像における四隅の領域の何れかに該当し、かつ、前記第１の原稿に対応する領域における四隅の何れかに該当する領域に合成し、
前記生成手段で生成された二次元コードを前記画像における前記第２の原稿に対応する領域に合成する際には、前記画像における四隅の領域の何れにも該当せず、かつ、前記第２の原稿に対応する領域における四隅の何れかに該当する領域に合成することを特徴とする請求項１乃至４の何れか１項に記載の装置。
【請求項７】
前記出力手段は、
前記合成手段での合成結果を１枚の紙に印刷することを特徴とする請求項１乃至６の何れか１項に記載の装置。
【請求項８】
前記出力手段は、
前記合成手段での合成結果を本の見開き二ページに印刷することを特徴とする請求項１乃至６の何れか１項に記載の装置。
【請求項９】
前記読取手段での読取りにより得られた画像には、前記第１の原稿に対応する第１の画像と前記第２の原稿に対応する第２の画像が含まれており、
前記画像における前記第１の原稿に対応する領域とは前記第１の画像のことであり、前記画像における前記第２の原稿に対応する領域とは前記第２の画像のことであることを特徴とする請求項１乃至８の何れか１項に記載の装置。
【請求項１０】
第１のセキュリティ情報を含む第１の二次元コードが印刷された第１の原稿と、第２のセキュリティ情報を含む第２の二次元コードが印刷された第２の原稿とを読取る読取手段と、
前記読取手段での読取により得られた画像における前記第１の二次元コードと前記第２の二次元コードとをデコードすることで、前記第１のセキュリティ情報と前記第２のセキュリティ情報とを得るデコード手段と、
前記デコード手段で得られた前記第１のセキュリティ情報と前記第２のセキュリティ情報のうち高いセキュリティレベルを持つセキュリティ情報を選択する選択手段と、
前記選択手段で選択されたセキュリティ情報に基づいて二次元コードを生成する生成手段と、
前記生成手段で生成された二次元コードを、前記画像における前記第１の原稿に対応する領域と前記画像における前記第２の原稿に対応する領域の夫々に合成する合成手段と、
前記合成手段での合成結果を出力する出力手段とを有することを特徴とするシステム。
【請求項１１】
第１のセキュリティ情報及び第１の追跡情報を含む第１の二次元コードが印刷された第１の原稿と、第２のセキュリティ情報及び第２の追跡情報を含む第２の二次元コードが印刷された第２の原稿とを読取る読取手段と、
前記読取手段での読取により得られた画像における前記第１の二次元コードと前記第２の二次元コードとをデコードすることで、前記第１のセキュリティ情報及び第１の追跡情報と前記第２のセキュリティ情報及び第２の追跡情報とを得るデコード手段と、
前記デコード手段で得られた前記第１のセキュリティ情報と前記第２のセキュリティ情報のうち高いセキュリティレベルを持つセキュリティ情報を選択し、さらに、当該選択されたセキュリティ情報と同じ二次元コードに含まれていた追跡情報を選択する選択手段と、
前記選択手段で選択されたセキュリティ情報及び追跡情報に基づいて二次元コードを生成する生成手段と、
前記生成手段で生成された二次元コードを、前記画像における前記第１の原稿に対応する領域と前記画像における前記第２の原稿に対応する領域の夫々に合成する合成手段と、
前記合成手段での合成結果を出力する出力手段とを有することを特徴とするシステム。
【請求項１２】
前記選択手段は、
前記デコード手段で得られた前記第１のセキュリティ情報と前記第２のセキュリティ情報のセキュリティレベルが同じである場合、当該同じであるセキュリティレベルを選択し、さらに、前記デコード手段で得られた前記第１の追跡情報と前記第２の追跡情報のうちの最も古い情報を選択することを特徴とする請求項１１に記載のシステム。
【請求項１３】
前記合成手段での二次元コードの前記画像への合成の前に、前記画像から前記第１の二次元コードと前記第２の二次元コードを削除する削除手段をさらに有することを特徴とする請求項１０乃至１２の何れか１項に記載のシステム。
【請求項１４】
前記合成手段は、
前記生成手段で生成された二次元コードを前記画像における前記第１の原稿に対応する領域に合成する際には、前記画像における四隅の領域の何れかに該当する領域に合成し、
前記生成手段で生成された二次元コードを前記画像における前記第２の原稿に対応する領域に合成する際には、前記画像における四隅の領域の何れにも該当しない領域に合成することを特徴とする請求項１０乃至１３の何れか１項に記載のシステム。
【請求項１５】
前記合成手段は、
前記生成手段で生成された二次元コードを前記画像における前記第１の原稿に対応する領域に合成する際には、前記画像における四隅の領域の何れかに該当し、かつ、前記第１の原稿に対応する領域における四隅の何れかに該当する領域に合成し、
前記生成手段で生成された二次元コードを前記画像における前記第２の原稿に対応する領域に合成する際には、前記画像における四隅の領域の何れにも該当せず、かつ、前記第２の原稿に対応する領域における四隅の何れかに該当する領域に合成することを特徴とする請求項１０乃至１３の何れか１項に記載のシステム。
【請求項１６】
前記出力手段は、
前記合成手段での合成結果を１枚の紙に印刷することを特徴とする請求項１乃至６の何れか１項に記載のシステム。
【請求項１７】
前記出力手段は、
前記合成手段での合成結果を本の見開き二ページに印刷することを特徴とする請求項１０乃至１５の何れか１項に記載のシステム。
【請求項１８】
前記読取手段での読取りにより得られた画像には、前記第１の原稿に対応する第１の画像と前記第２の原稿に対応する第２の画像が含まれており、
前記画像における前記第１の原稿に対応する領域とは前記第１の画像のことであり、前記画像における前記第２の原稿に対応する領域とは前記第２の画像のことであることを特徴とする請求項１０乃至１７の何れか１項に記載のシステム。
【請求項１９】
第１のセキュリティ情報を含む第１の二次元コードが印刷された第１の原稿と、第２のセキュリティ情報を含む第２の二次元コードが印刷された第２の原稿とを読取る読取工程と、
前記読取工程での読取により得られた画像における前記第１の二次元コードと前記第２の二次元コードとをデコードすることで、前記第１のセキュリティ情報と前記第２のセキュリティ情報とを得るデコード工程と、
前記デコード工程で得られた前記第１のセキュリティ情報と前記第２のセキュリティ情報のうち高いセキュリティレベルを持つセキュリティ情報を選択する選択工程と、
前記選択工程で選択されたセキュリティ情報に基づいて二次元コードを生成する生成工程と、
前記生成工程で生成された二次元コードを、前記画像における前記第１の原稿に対応する領域と前記画像における前記第２の原稿に対応する領域の夫々に合成する合成工程と、
前記合成工程での合成結果を出力する出力工程とを有することを特徴とする方法。
【請求項２０】
第１のセキュリティ情報及び第１の追跡情報を含む第１の二次元コードが印刷された第１の原稿と、第２のセキュリティ情報及び第２の追跡情報を含む第２の二次元コードが印刷された第２の原稿とを読取る読取工程と、
前記読取工程での読取により得られた画像における前記第１の二次元コードと前記第２の二次元コードとをデコードすることで、前記第１のセキュリティ情報及び第１の追跡情報と前記第２のセキュリティ情報及び第２の追跡情報とを得るデコード工程と、
前記デコード工程で得られた前記第１のセキュリティ情報と前記第２のセキュリティ情報のうち高いセキュリティレベルを持つセキュリティ情報を選択し、さらに、当該選択されたセキュリティ情報と同じ二次元コードに含まれていた追跡情報を選択する選択工程と、
前記選択工程で選択されたセキュリティ情報及び追跡情報に基づいて二次元コードを生成する生成工程と、
前記生成工程で生成された二次元コードを、前記画像における前記第１の原稿に対応する領域と前記画像における前記第２の原稿に対応する領域の夫々に合成する合成工程と、
前記合成工程での合成結果を出力する出力工程とを有することを特徴とする方法。
【請求項２１】
請求項１９又は２０の方法をコンピュータに実行させるためのコンピュータ読取り可能なプログラム。
【手続補正２】
【補正対象書類名】明細書
【補正対象項目名】発明の名称
【補正方法】変更
【補正の内容】
【発明の名称】コードを取り扱うことができる装置、方法、プログラム
【手続補正３】
【補正対象書類名】明細書
【補正対象項目名】０００１
【補正方法】変更
【補正の内容】
【０００１】
本発明は、コードを取り扱うことができる装置、方法、プログラムに関するものである。
【手続補正４】
【補正対象書類名】明細書
【補正対象項目名】０００７
【補正方法】変更
【補正の内容】
【０００７】
本発明によれば、Ｎ枚の原稿を出力する際に、処理上あるいはセキュリティ上、最適な形態でコードを合成することができる。